(57)【要約】【課題】断面外形が略四角形で内壁に突条が形成されたホースを、水道の蛇口やシャワーヘッドなどに簡単に着脱できる接続具を提供する。【解決手段】ホース２の断面内形の少なくとも一部と略同一の断面外形のホース接続部１１を設け、このホース接続部１１の外周にホース２を圧入して接続する。ここでホース２の抜けを防止するために、ホース接続部１１の外周面に突部１２を形成することが好ましい。さらには、ホース接続部１１に圧入したホース２の外側を帯状部材３で巻装してもよい。【選択図】　図５
2004019729.tif 000002
【特許請求の範囲】
【請求項１】
軸方向に対して垂直方向のホース本体の断面外形が略四角形で、ホース本体の内壁に軸方向に沿って突条が形成されたホースに用いる接続具であって、
前記ホースの断面内形の少なくとも一部と略同一の断面外形のホース接続部を有し、このホース接続部の外周に前記ホースを圧入して接続することを特徴とするホース接続具。
【請求項２】
前記ホース接続部の外周面に突部が形成されている請求項１記載のホース接続具。
【請求項３】
前記ホース接続部に圧入した前記ホースの外側を巻装する帯状部材をさらに有する請求項１又は２記載のホース接続具。
【請求項４】
前記ホースを挿通させるための断面四角形の、内径がホース接続部側から軸方向反対方向に向かって縮径された貫通孔が形成された固定部材をさらに有し、
この固定部材を軸方向に摺動可能に前記ホースに嵌挿し、前記ホース接続部の外周に前記ホースを圧入した後、前記固定部材を前記ホース接続部上に移動させ、前記固定部材の貫通孔の内周面で前記ホースを押圧し前記ホースを前記ホース接続部に固定する請求項１又は２記載のホース接続具。
【請求項５】
前記ホース接続部と離隔対向するように舌状部を設け、圧入されたホースをこの舌状部を介して前記固定部材の貫通孔の内周面で押圧する請求項４記載のホース接続具。
【発明の詳細な説明】
【０００１】
【発明の属する技術分野】
本発明は、水道の蛇口やシャワーヘッドなどに断面外形が略四角形のホースを着脱自在に接続するための接続具に関するものである。
【０００２】
【従来の技術】
車輪や人に踏まれる、あるいは鋭角に屈曲した場合であっても、ホース内流路が完全に閉塞しないようにするため本出願人は、軸方向に対して垂直方向のホース本体の断面外形が略四角形で、ホース本体の内壁に軸方向に沿って突条が形成されたホースを先の出願（特願２００１−３０９７５６号）において提案した。
【０００３】
しかしながら、前記提案した断面外形が略四角形で、内壁に突条が形成されたホースは、そのままの状態では水道の蛇口やシャワーヘッドなどに直接接続することは困難であった。
【０００４】
【発明が解決しようとする課題】
本発明はこのような問題に鑑みてなされたものであり、その目的とするところは、断面外形が略四角形で内壁に突条が形成されたホースを、水道の蛇口やシャワーヘッドなどに簡単に着脱できる接続具を提供することにある。
【０００５】
【課題を解決するための手段】
前記目的を達成する本発明に係るホース接続具は、軸方向に対して垂直方向のホース本体の断面外形が略四角形で、ホース本体の内壁に軸方向に沿って突条が形成されたホースに用いる接続具であって、前記ホースの断面内形の少なくとも一部と略同一の断面外形のホース接続部を設け、このホース接続部の外周に前記ホースを圧入して接続する構成とした。
【０００６】
ここで、ホース接続具からホースの抜けるのを一層防止する観点から、ホース接続部の外周面に突部を形成するのが望ましく、さらにはホース接続部に圧入したホースの外側を帯状部材でさらに巻装するのが望ましい。
【０００７】
またホース接続具からのホースの抜けを防止する観点からは、前記ホースを挿通させるための断面四角形の、内径がホース接続部側から軸方向反対方向に向かって縮径された貫通孔が形成された固定部材をさらに有し、この固定部材を軸方向に摺動可能に前記ホースに嵌挿し、前記ホース接続部の外周に前記ホースを圧入した後、前記固定部材を前記ホース接続部上に移動させ、前記固定部材の貫通孔の内周面で前記ホースを押圧し前記ホースを前記ホース接続部に固定するようにしてもよい。このとき、ホースの抜けを一層効果的に防止すると共に、ホース接続具に対するホースの位置決めを容易するため、ホース接続部と離隔対向するように舌状部を設け、圧入されたホースをこの舌状部を介して固定部材の内周面で押圧するようにしてもよい。
【０００８】
【発明の実施の形態】
以下、本発明のホース接続具について図に沿って詳述する。なお、本発明はこれらの実施形態に何ら限定されるものではない。
【０００９】
図１に、本発明に係るホース接続具の一実施形態を示す。図１は、水道の蛇口Ｗにホース２を接続する場合の分解斜視図である。水道の蛇口Ｗに蛇口側ニップル５をネジで固定する一方、断面外形が略四角形で、ホース本体２１の内壁に軸方向に沿って突条２２が形成されたホース２を、ホース接続具１のホース接続部１１の外周に圧入する。そして、ホース接続具１のコネクタ部１３の差し込み口１３５に蛇口側ニップル５の先端部５１を差し込み、水道の蛇口Ｗとホース２とを接続する。ホース接続具１の正面図を図２に、そしてその断面図を図３に示す。
【００１０】
このホース接続具１のホース接続部１１は、ホース２の断面内形と同一形状の断面外形で、その外周面にはホース２の抜けを防止するために周状の突部１２が設けられている。このホース接続部１１にホース２を圧入する。ここでホース２とホース接続部１１との摩擦力を大きくしてホース２の抜けを防ぐ観点から、ホース接続部１１の外形をホース内形に比べ若干大きくするのが望ましい。ただ、ホース２がゴム製の場合には常温下でホース接続部１１に圧入し得るが、樹脂製の場合あるいはホース接続部１１の外形がホース内形に比べてかなり大きい場合には、容易に圧入できないことがある。このような場合には、ホース２を溶融しない程度に加熱してホース接続部１１に圧入すればよい。
【００１１】
一方、ホース接続具１のコネクタ部１３は、一端に差込口１３５を有するソケット内筒１３１と、その外周に軸方向にスライド可能に設けられたスライドリング１３２とを備え、スライドリング１３２はその下端に配設されたバネ１３３の付勢力により通常は押し上げられた状態に位置する。また、ソケット内筒１３１の内周面には、退避可能に突出する差込固定用の係止爪１３４が配設されている。この係止爪１３４の外側面は通常はスライドリング１３２の当接部１３２ａに当接しているため、係止爪１３４は半径方向外方に退避できないようになっている。係止爪１３４の先端部は差し込み口１３５の上方から下方に向かって半径方向内方に突き出るような断面直角三角形を形成しているため通常状態でも、蛇口側ニップル５の先端部５１を差し込み口１３５に差し込むと、前記傾斜面に沿って蛇口側ニップル５の先端部５１を差し込み口１３５の奥まで差し込むことができる。一方、一旦差し込まれた蛇口側ニップル５の先端部５１は、係止爪１３４の先端部の下端面に邪魔されて差し込み口１３５から取り外すことはできない。
【００１２】
蛇口側ニップル５の先端部５１を差し込み口１３５から取り外す場合には、バネ１３３の付勢力に抗してスライドリング１３２を押し下げる。すると、係止爪１３４の外側面に当接していたスライドリング１３２の当接部１３２ａが外れる結果、係止爪１３４は半径方向外方に退避可能となって蛇口側ニップル５の先端部５１を差し込み口１３５から取り外すことができる。
【００１３】
図２及び図３のホース接続部１１ではその断面外形をホース２の断面内形と同一形状としたが、この場合ホース接続部１１の厚み分だけホース内流路が狭められる。したがって、細いホースの場合にはホース内流路が充分に確保できないおそれがある。そこで、特に細いホースの場合には、ホース接続部１１の断面外形に切り欠きを設けてホース内流路が狭まるのを抑えてもよい。図４にその一例を示す。同図（ａ）は、ホース２の断面内形すなわち四角形の短辺側及び長辺側に端部にかけて接触する、左右対称に設けられた断面略コ字状のホース接続部１１ａであって、その外周面にはホース２の抜けを防止するために周状の突部１２が形成されている。同図（ｂ）は、ホースの断面四角形の３辺に接触するホース接続部１１ｂであって、その外周面には前記と同様に周状の突部１２が形成されている。
【００１４】
ホース接続部からのホースの抜けを一層確実に防止するために、ホース接続部に圧入したホースの外側を帯状部材で締め付けてもよい。図５に一例を示す。図５では、突部１２と突部１２の間にホース２の外側からバネ鋼などからなる可撓性のスチールバンド（帯状部材）３１を巻き付け、スチールバンド３１の両端部をネジ３２で締め付けてホース接続部１１にホース２をしっかりと固定している。
【００１５】
また図６に示すような、ホース２の表面を軸方向に摺動可能にホース２に嵌挿された固定部材４を接続具本体１４に係合させることにより、ホース接続具１にホース２を確実に固定させてもよい。この固定部材４は、図７に示すように、ホース２を挿通させるための断面四角形の貫通孔４１が軸方向に形成され、この貫通孔４１の内径はホース接続部側から軸方向反対方向に向かって縮径されている。また固定部材４のホース接続部側の外表面には、先端部に係止爪４３が形成された上下一対の板状部４２が延出している。
【００１６】
一方、接続具本体１４には凹部１４ａが形成され、表面に溝１５ａが形成された係止部材１５がこの凹部１４ａに取り付けられている。この係止部材１５の下端にはバネ１６が配設されており、係止部材１５はこの下端に配設されたバネ１６の付勢力により通常は押し上げられた状態に位置している。また、ホース接続部１１と離隔対向するように舌状部１７が接続具本体１４の上下から延出している。ホース接続部１１の表面と舌状部１７との離隔距離は、ホース２の肉厚程度が望ましい。この図では舌状部１７は上下に２つ設けられているが、左右に２つあるいは上下・左右に４つ設けてもよい。ホース２の固定強化と位置決めという舌状部１７の作用を充分に発揮させるには、舌状部１７は少なくとも対向するように２つ設けるのがよい。
【００１７】
このような構成のホース接続具１にホース２を接続固定する場合は、舌状部１７により位置決めされながらホース接続部１１の外周にホース２を圧入する。そして、ホース２に予め嵌挿させておいた固定部材４をホース接続部１１上に移動させ、固定部材４の係止爪４３を接続具本体１４に取り付けられた係止部材１５の溝１５ａに係合させて、固定部材４を接続具本体１４に固定する。このとき、固定部材４の貫通孔４１の内径は、ホース接続部側から軸方向反対方向に向かって縮径されているので、固定部材４をホース接続部１１に近づけるほど、貫通孔４１の内周面とホース接続部１１との間隙が小さくなる結果、貫通孔４１の内周面とホース接続部１１との間にホース２が挟まれて固定される。加えて、舌状部１７が存する部分は舌状部１７の厚みだけ貫通孔４１の内周面とホース接続部１１との間隙がさらに小さくなっているので、ホース２に加わる押圧力はより大きくになると同時に舌状部１７全体に均一に加わる。この結果、ホース２はホース接続部１１に確実に安定して固定される。
【００１８】
他方、ホース接続具１からホース２を取り外す場合には、バネ１６の付勢力に抗して係合部材１５を押し下げる。すると、係止部材１５の溝１５ａと固定部材４の係止爪４３との係合状態が解除されるので、固定部材４をホース接続部１１から離れた位置までホース上を移動させる。これにより、ホース２に対する外側からの押圧力はなくなる。次に、ホース接続部１１から離す方向にホース２を引っ張り、ホース接続部１１からホース２を取り外す。
【００１９】
なお、これまで説明した実施態様例ではホース接続具の接続対象は水道の蛇口であったが、本発明のホース接続具はこれに限定されるものではなく、シャワーヘッドとの接続や他のホースとの接続などにももちろん使用できる。また、接続対象の接続部に対応して、本発明のホース接続具のコネクタ部も従来公知の種々のものを採用することができる。例えば、接続対象に接続部として雌ネジが螺刻されている場合には、ホース接続具のコネクタ部として雄ネジを螺刻し、このホース接続具のコネクタ部を接続対象に螺入して接続対象にホース接続具を固定すればよい。
【００２０】
本発明で使用するホースにおいて形成する突条の数に特に限定はなく、１本であっても、あるいは２本以上であってもよい。また突条を形成するホース本体の内壁位置に特に限定はないが、ホース使用時に外力が加わることが想定される面の内壁およびこれに対向する内壁に形成するのが望ましい。したがって通常は、ホース載置面側の内壁およびそれに対向する内壁に形成するのがよい。また、形成する突条の断面形状としては、外力が加わったときに容易に変形せずホース内流路を確保できる形状であれば特に限定はないが、ホースに外力が加わったときに、ホース本体の平面状の壁を確実にしかも傷つけないように支持するには、先端が平面である突条が好ましく、より好ましくは断面形状が台形状の突条である。
【００２１】
またホース本体の大きさに特に限定はなく、長辺が５ｍｍ〜１，０００ｍｍの程度のものや、長辺が５００ｍｍ〜３，０００ｍｍの大型のホースにも本発明のホース接続具を使用できる。
【００２２】
ホース本体及び突条の材質としては弾性を有するものであれば特に限定はなく、例えばスチレン・ブタジエンゴム（ＳＢＲ）、ニトリルゴム（ＮＢＲ）、エチレン・プロピレンゴム（ＥＰＲ）、エチレン・プロピレン・ジエン・メチレン・リンケージ（ＥＰＤＭ）、ブチルゴム（ＩＩＲ）、フッ素ゴムなどの合成ゴム；ポリスチレン系、ポリオレフィン系、ポリ塩化ビニル系、ポリウレタン系、ポリエステル系、ポリアミド系の熱可塑性エラストマー；天然ゴムのいずれであっても構わない。
【００２３】
【発明の効果】
本発明のホース接続具では、断面外形が略四角形のホースの断面内形の少なくとも一部と略同一の断面外形のホース接続部を設け、このホース接続部の外周に前記ホースを圧入して接続するので、四角形のホースであっても水道の蛇口やシャワーヘッド、あるいは他のホースなどと簡単に接続できる。
【００２４】
またホース接続部の外周面に突部を形成すると、ホース接続部からのホースの抜けを効果的に防止でき、ホース接続部に圧入したホースの外側を帯状部材で巻装すれば抜け防止効果はさらに向上する。
【００２５】
ホースを挿通させるための断面四角形の、内径がホース接続部側から軸方向反対方向に向かって縮径された貫通孔が形成された固定部材をさらに設け、この固定部材を軸方向に摺動可能に前記ホースに嵌挿し、前記ホース接続部の外周に前記ホースを圧入した後、前記固定部材を前記ホース接続部上に移動させ、前記固定部材の貫通孔の内周面で前記ホースを押圧し前記ホースを前記ホース接続部に固定すると、ホースに対して強い押圧力が加わるのホースの抜けを効果的に防止できる。さらにホース接続部と離隔対向するように舌状部を設け、圧入されたホースをこの舌状部を介して前記固定部材の貫通孔の内周面で押圧するようにすると、ホースに対してより強い押圧力を均一に加えることができホースの抜けを一層効果的に防止できる。また舌状部により、ホース接続部にホースを圧入する際の位置決めもできる。
【図面の簡単な説明】
【図１】本発明のホース接続具を用いてホースを水道蛇口に接続する場合の分解斜視図である。
【図２】本発明のホース接続具の一例を示す正面図である。
【図３】本発明のホース接続具の一例を示す断面図である。
【図４】ホース接続部の他の例を示す斜視図である。
【図５】帯状部材を用いてホース接続部にホースを固定する場合の一例を示す斜視図である。
【図６】固定部材を用いてホース接続部にホースを固定する場合の分解斜視図である。
【図７】固定部材を用いてホース接続部にホースを固定したときの断面図である。
【符号の説明】
１　ホース接続具
２　ホース
３　帯状部材
４　固定部材
１１，１１ａ，１１ｂ　ホース接続部
１２　突部
１７　舌状部
２１　ホース本体
２２　突条
４１　貫通孔
【図１】
2004019729.tif 000003
【図２】
2004019729.tif 000004
【図３】
2004019729.tif 000005
【図４】
2004019729.tif 000006
【図５】
2004019729.tif 000007
【図６】
2004019729.tif 000008
【図７】
2004019729.tif 000009